(57)【要約】【課題】第１カムおよび第２カムの小型化を図ることができる画像形成装置を提供する。【解決手段】  画像形成装置１は、第１ロッド２１Ｙと、第２ロッド２１Ｍと、第１カム２２Ｙと、第２カム２２Ｍとを備える。第１ロッド２１Ｙは、感光ドラム４Ｙから現像ローラ１０Ｙを離間させる。第２ロッド２１Ｍは、感光ドラム４Ｍから現像ローラ１０Ｍを離間させる。第１カム２２Ｙは、回転することにより、第１方向に突出する第１リブ４２Ｙによって第１ロッド２１Ｙを押圧し、第１ロッド２１Ｙを第１方向に移動させる。第２カム２２Ｍは、回転することにより、第１方向に突出する第２リブ４２Ｍによって第２ロッド２１Ｍを押圧し、第２ロッド２１Ｍを第１方向に移動させる。【選択図】図５
2019179119.tif 000002
【特許請求の範囲】
【請求項１】
印刷媒体を搬送するように構成される搬送ベルトと、
第１方向に延びる第１ドラム軸について回転可能な第１感光ドラムと、
前記搬送ベルトが印刷媒体を搬送する方向である第２方向において前記第１感光ドラムの下流側に位置する第２感光ドラムであって、前記第２方向において前記第１感光ドラムから離れて位置する第２感光ドラムであり、前記第１方向に延びる第２ドラム軸について回転可能な第２感光ドラムと、
前記第１方向に延びる第１ローラ軸について回転可能な第１現像ローラであって、前記第１感光ドラムと接触する第１接触位置と、前記第１感光ドラムから離れる第１離間位置との間を移動可能な第１現像ローラと、
前記第１方向に延びる第２ローラ軸について回転可能な第２現像ローラであって、前記第２感光ドラムと接触する第２接触位置と、前記第２感光ドラムから離れる第２離間位置との間を移動可能な第２現像ローラと、
前記第１現像ローラを前記第１接触位置から前記第１離間位置へ移動させるための第１ロッドであって、前記第１現像ローラを前記第１離間位置に位置させる第１進出位置と、前記第１現像ローラが前記第１接触位置に位置することを許容する第１退避位置との間を前記第１方向に移動可能な第１ロッドと、
前記第２現像ローラを前記第２接触位置から前記第２離間位置へ移動させるための第２ロッドであって、前記第２現像ローラを前記第２離間位置に位置させる第２進出位置と、前記第２現像ローラが前記第２接触位置に位置することを許容する第２退避位置との間を前記第１方向に移動可能な第２ロッドと、
前記第１方向に延びる第１軸について回転可能な第１カムであって、回転することにより、前記第１ロッドを前記第１進出位置に位置させる第１押圧状態か、または、前記第１ロッドが前記第１退避位置に位置することを許容する第１押圧解除状態に切り替わる第１カムと、
前記第１方向に延びる第２軸について回転可能な第２カムであって、回転することにより、前記第２ロッドを前記第２進出位置に位置させる第２押圧状態か、または、前記第２ロッドが前記第２退避位置に位置することを許容する第２押圧解除状態に切り替わる第２カムと、
前記第１カムとともに前記第１軸について回転可能な第１ギアと、
前記第１ギアと噛み合うアイドルギアと、
前記アイドルギアに噛み合う第２ギアであって、前記第２カムとともに前記第２軸について回転可能な第２ギアと、
を備え、
前記第１カムの回転角度と、前記第２カムの回転角度とは、前記第１感光ドラムから前記印刷媒体が離れた後、前記第２カムが前記第２押圧状態になる前に、前記第１カムが前記第１押圧状態になるように、ずれており、
前記第１カムは、
前記第１ギアとともに回転可能な第１円板と、
前記第１方向において前記第１円板に対して前記第１ギアの反対側に位置する第１リブであって、前記第１円板から前記第１方向に突出し、前記第１円板の周方向に延びる第１リブであって、前記第１カムが前記第１押圧状態である場合に、前記第１ロッドと接触し、前記第１カムが前記第１押圧解除状態である場合に、前記第１ロッドから離れる第１リブと
を有し、
前記第２カムは、
前記第２ギアとともに回転可能な第２円板と、
前記第１方向において前記第２円板に対して前記第２ギアの反対側に位置する第２リブであって、前記第２円板から前記第１方向に突出し、前記第２円板の周方向に延びる第２リブであって、前記第２カムが前記第２押圧状態である場合に、前記第２ロッドと接触し、前記第２カムが前記第２押圧解除状態である場合に、前記第２ロッドから離れる第２リブと
を有することを特徴とする、画像形成装置。
【請求項２】
前記画像形成装置は、
前記第２方向において前記第２感光ドラムの下流側に位置する第３感光ドラムであって、前記第２方向において前記第２感光ドラムから離れて位置する第３感光ドラムであり、前記第１方向に延びる第３ドラム軸について回転可能な第３感光ドラムと、
前記第１方向に延びる第３ローラ軸について回転可能な第３現像ローラであって、前記第３感光ドラムと接触する第３接触位置と、前記第３感光ドラムから離れる第３離間位置との間を移動可能な第３現像ローラと、
前記第３現像ローラを前記第３接触位置から前記第３離間位置へ移動させるための第３ロッドであって、前記第３現像ローラを前記第３離間位置に位置させる第３進出位置と、前記第３現像ローラが前記第３接触位置に位置することを許容する第３退避位置との間を前記第１方向に移動可能な第３ロッドと、
前記第１方向に延びる第３軸について回転可能な第３カムであって、回転することにより、前記第３ロッドを前記第３進出位置に位置させる第３押圧状態か、または、前記第３ロッドが前記第３退避位置に位置することを許容する第３押圧解除状態に切り替わる第３カムと、
前記第２ギアと噛み合う第２アイドルギアと、
前記第２アイドルギアに噛み合う第３ギアであって、前記第３カムとともに前記第３軸について回転可能な第３ギアと
を備え、
前記第２カムの回転角度と、前記第３カムの回転角度とは、前記第２感光ドラムから前記印刷媒体が離れた後、前記第３カムが前記第３押圧状態になる前に、前記第２カムが前記第２押圧状態になるように、ずれていることを特徴とする、請求項１に記載の画像形成装置。
【請求項３】
前記画像形成装置は、
前記第２方向において前記第３感光ドラムの下流側に位置する第４感光ドラムであって、前記第２方向において前記第３感光ドラムから離れて位置する第４感光ドラムであり、前記第１方向に延びる第４ドラム軸について回転可能な第４感光ドラムと、
前記第１方向に延びる第４ローラ軸について回転可能な第４現像ローラであって、前記第４感光ドラムと接触する第４接触位置と、前記第４感光ドラムから離れる第４離間位置との間を移動可能な第４現像ローラと、
前記第４現像ローラを前記第４接触位置から前記第４離間位置へ移動させるための第４ロッドであって、前記第４現像ローラを前記第４離間位置に位置させる第４進出位置と、前記第４現像ローラが前記第４接触位置に位置することを許容する第４退避位置との間を前記第１方向に移動可能な第４ロッドと、
前記第１方向に延びる第４軸について回転可能な第４カムであって、回転することにより、前記第４ロッドを前記第４進出位置に位置させる第４押圧状態か、または、前記第４ロッドが前記第４退避位置に位置することを許容する第４押圧解除状態に切り替わる第４カムと、
前記第４カムとともに前記第４軸について回転可能な第４ギアと、
正転と逆転とを切り替え可能なモーターと、
前記モーターと前記第４ギアとを繋ぐギア列と、
前記第３ギアと前記第４ギアとを繋ぐワンウェイクラッチであって、前記モーターが正転している場合、前記第４ギアから前記第３ギアに動力を伝達し、前記モーターが逆転している場合、前記第４ギアから前記第３ギアへの動力の伝達を解除するワンウェイクラッチと、
を備えることを特徴とする、請求項２に記載の画像形成装置。
【請求項４】
前記画像形成装置は、
前記第２方向において前記第３感光ドラムの下流側に位置する第４感光ドラムであって、前記第２方向において前記第３感光ドラムから離れて位置する第４感光ドラムであり、前記第１方向に延びる第４ドラム軸について回転可能な第４感光ドラムと、
前記第１方向に延びる第４ローラ軸について回転可能な第４現像ローラであって、前記第４感光ドラムと接触する第４接触位置と、前記第４感光ドラムから離れる第４離間位置との間を移動可能な第４現像ローラと、
前記第４現像ローラを前記第４接触位置から前記第４離間位置へ移動させるための第４ロッドであって、前記第４現像ローラを前記第４離間位置に位置させる第４進出位置と、前記第４現像ローラが前記第４接触位置に位置することを許容する第４退避位置との間を前記第１方向に移動可能な第４ロッドと、
前記第１方向に延びる第４軸について回転可能な第４カムであって、回転することにより、前記第４ロッドを前記第４進出位置に位置させる第４押圧状態か、または、前記第４ロッドが前記第４退避位置に位置することを許容する第４押圧解除状態に切り替わる第４カムと、
前記第４カムとともに前記第４軸について回転可能な第４ギアと、
モーターと、
前記モーターと前記第４ギアとを繋ぐギア列と、
前記第３ギアと前記第４ギアとを繋ぐ電磁クラッチであって、前記第４ギアから前記第３ギアに動力を伝達するオン状態か、または、前記第４ギアから前記第３ギアへの動力の伝達を解除するオフ状態に切り替え可能な電磁クラッチと、
を備えることを特徴とする、請求項２に記載の画像形成装置。
【請求項５】
前記ギア列は、前記モーターから前記第４ギアへの動力を伝達するオン状態か、または、前記モーターから前記第４ギアへの動力の伝達を解除するオフ状態に切り替え可能な第２電磁クラッチを備えることを特徴とする、請求項４に記載の画像形成装置。
【請求項６】
前記画像形成装置は、
前記第２方向において前記第３感光ドラムの下流側に位置する第４感光ドラムであって、前記第２方向において前記第３感光ドラムから離れて位置する第４感光ドラムであり、前記第１方向に延びる第４ドラム軸について回転可能な第４感光ドラムと、
前記第１方向に延びる第４ローラ軸について回転可能な第４現像ローラであって、前記第４感光ドラムと接触する第４接触位置と、前記第４感光ドラムから離れる第４離間位置との間を移動可能な第４現像ローラと、
前記第４現像ローラを前記第４接触位置から前記第４離間位置へ移動させるための第４ロッドであって、前記第４現像ローラを前記第４離間位置に位置させる第４進出位置と、前記第４現像ローラが前記第４接触位置に位置することを許容する第４退避位置との間を前記第１方向に移動可能な第４ロッドと、
前記第１方向に延びる第４軸について回転可能な第４カムであって、回転することにより、前記第４ロッドを前記第４進出位置に位置させる第４押圧状態か、または、前記第４ロッドが前記第４退避位置に位置することを許容する第４押圧解除状態に切り替わる第４カムと、
前記第４カムとともに前記第４軸について回転可能な第４ギアと、
モーターと、
前記モーターと前記第４ギアとを繋ぐ第１ギア列であって、前記モーターから前記第４ギアへの動力を伝達するオン状態か、または、前記モーターから前記第４ギアへの動力の伝達を解除するオフ状態に切り替え可能な第１電磁クラッチを含む第１ギア列と、
前記第１ギア列とは独立して前記モーターと前記第１ギアとを繋ぐ第２ギア列であって、前記モーターから前記第１ギアへの動力を伝達するオン状態か、または、前記モーターから前記第１ギアへの動力の伝達を解除するオフ状態に切り替え可能な第２電磁クラッチを含む第２ギア列と、
を備えることを特徴とする、請求項２に記載の画像形成装置。
【請求項７】
前記第１ロッドは、
前記第１方向に延びる第１ロッド本体と、
前記第１ロッド本体から前記第１方向と交差する方向に突出する第１突出部と
を備え、
前記第２ロッドは、
前記第１方向に延びる第２ロッド本体と、
前記第２ロッド本体から前記第１方向と交差する方向に突出する第２突出部と
を備え、
前記第１カムが前記第１押圧状態である場合、前記第１カムは、前記第１突出部を押圧して、前記第１ロッドを前記第１進出位置に位置させ、
前記第１カムが前記第１押圧解除状態である場合、前記第１カムは、前記第１突出部を押圧せず、前記第１ロッドが前記第１退避位置に位置することを許容し、
前記第２カムが前記第２押圧状態である場合、前記第２カムは、前記第２突出部を押圧して、前記第２ロッドを前記第２進出位置に移動させ、
前記第２カムが前記第２押圧解除状態である場合、前記第２カムは、前記第２突出部を押圧せず、前記第２ロッドが前記第２退避位置に位置することを許容することを特徴とする、請求項１から請求項６のいずれか一項に記載の画像形成装置。
【発明の詳細な説明】
【技術分野】
【０００１】
本発明は、画像形成装置に関する。
【背景技術】
【０００２】
従来、画像形成装置は、第１感光ドラムと、第２感光ドラムと、第１現像ローラを備える第１現像ユニットと、第２現像ローラを備える第２現像ユニットと、回転可能な第１カムと、回転可能な第２カムとを備える（下記特許文献１参照）。
【０００３】
第１カムは、第１現像ユニットのボスを押圧することにより、第１現像ローラを第１感光ドラムから離間する。第２カムは、第２現像ユニットのボスを押圧することにより、第２現像ローラを第２感光ドラムから離間する。第１カムの回転角度と、第２カムの回転角度とは、第１感光ドラムから印刷媒体にトナー像を転写するタイミング、および、第１感光ドラムから印刷媒体にトナー像を転写するタイミングと同期するように、ずれている。
【先行技術文献】
【特許文献】
【０００４】
【特許文献１】特開２０１２−１２８０１７号公報
【発明の概要】
【発明が解決しようとする課題】
【０００５】
しかし、上記した特許文献１に記載の画像形成装置では、第１カムは、第１カムの回転軸と交差する方向に向かって、第１現像ユニットのボスを押圧する。また、第２カムは、第２カムの回転軸と交差する方向に向かって、第２現像ユニットのボスを押圧する。
【０００６】
そのため、第１カムおよび第２カムのそれぞれは、ボスからの反力に耐えうる強度のシャフトを備える必要があり、小型化することが困難である。
【０００７】
そこで、本開示の目的は、第１カムおよび第２カムの小型化を図ることができる画像形成装置を提供することにある。
【課題を解決するための手段】
【０００８】
本発明の画像形成装置は、搬送ベルトと、第１感光ドラムと、第２感光ドラムと、第１現像ローラと、第２現像ローラと、第１ロッドと、第２ロッドと、第１カムと、第２カムと、第１ギアと、アイドルギアと、第２ギアとを備える。
【０００９】
搬送ベルトは、印刷媒体を搬送するように構成される。
【００１０】
第１感光ドラムは、第１方向に延びる第１ドラム軸について回転可能である。
【００１１】
第２感光ドラムは、搬送ベルトが印刷媒体を搬送する方向である第２方向において第１感光ドラムの下流側に位置する。第２感光ドラムは、第２方向において第１感光ドラムから離れて位置する。第２感光ドラムは、第１方向に延びる第２ドラム軸について回転可能である。
【００１２】
第１現像ローラは、第１方向に延びる第１ローラ軸について回転可能である。第１現像ローラは、第１感光ドラムと接触する第１接触位置と、第１感光ドラムから離れる第１離間位置との間を移動可能である。
【００１３】
第２現像ローラは、第１方向に延びる第２ローラ軸について回転可能である。第２現像ローラは、第２感光ドラムと接触する第２接触位置と、第２感光ドラムから離れる第２離間位置との間を移動可能である。
【００１４】
第１ロッドは、第１現像ローラを第１接触位置から第１離間位置へ移動させる。第１ロッドは、第１現像ローラを第１離間位置に位置させる第１進出位置と、第１現像ローラが第１接触位置に位置することを許容する第１退避位置との間を、第１方向に移動可能である。
【００１５】
第２ロッドは、第２現像ローラを第２接触位置から第２離間位置へ移動させる。第２ロッドは、第２現像ローラを第２離間位置に位置させる第２進出位置と、第２現像ローラが第２接触位置に位置することを許容する第２退避位置との間を、第１方向に移動可能である。
【００１６】
第１カムは、第１方向に延びる第１軸について回転可能である。第１カムは、第１ロッドを第１進出位置に位置させる第１押圧位置と、第１ロッドが第１退避位置に位置することを許容する第１押圧解除位置との間を回転可能である。
【００１７】
第２カムは、第１方向に延びる第２軸について回転可能である。第２カムは、第２ロッドを第２進出位置に位置させる第２押圧位置と、第２ロッドが第２退避位置に位置することを許容する第２押圧解除位置との間を回転可能である。
【００１８】
第１ギアは、第１カムとともに第１軸について回転可能である。アイドルギアは、第１ギアと噛み合う。第２ギアは、アイドルギアに噛み合う。第２ギアは、第２カムとともに第２軸について回転可能である。
【００１９】
第１カムの回転角度と、第２カムの回転角度とは、第１感光ドラムから印刷媒体が離れた後、第２カムが第２押圧位置に位置する前に、第１カムが第１押圧位置に位置するように、ずれている。
【００２０】
第１カムは、第１円板と、第１リブとを有する。第１円板は、第１ギアとともに回転可能である。第１リブは、第１方向において第１円板に対して第１ギアの反対側に位置する。第１リブは、第１円板から第１方向に突出し、第１円板の周方向に延びる。第１リブは、第１カムが第１押圧位置に位置する状態で第１ロッドと接触し、第１カムが第１押圧解除位置に位置する状態で第１ロッドから離れる。
【００２１】
第２カムは、第２円板と、第２リブとを有する。第２円板は、第２ギアとともに回転可能である。第２リブは、第１方向において第２円板に対して第２ギアの反対側に位置する。第２リブは、第２円板から第１方向に突出し、第２円板の周方向に延びる。第２リブは、第２カムが第２押圧位置に位置する状態で第２ロッドと接触し、第２カムが第２押圧解除位置に位置する状態で第２ロッドから離れる。
【００２２】
このような構成によれば、第１カムは、第１方向に延びる第１軸について回転可能である。そして、第１カムは、回転することにより、第１方向に突出する第１リブによって第１ロッドを押圧して、第１ロッドを第１方向に移動させる。
【００２３】
また、第２カムは、第１方向に延びる第２軸について回転可能である。そして、第２カムは、回転することにより、第１方向に突出する第２リブによって第２ロッドを押圧して、第２ロッドを第１方向に移動させる。
【００２４】
つまり、第１カムは、第１軸が延びる第１方向において、第１ロッドからの反力に耐えればよく、第２カムは、第２軸が延びる第１方向において、第２ロッドからの反力に耐えればよい。
【００２５】
そのため、第１軸と交差する方向からの反力が第１カムに加わり、第２軸と交差する方向からの反力が第２カムに加わる場合と比べて、第１カムおよび第２カムに要求される強度を低減することができる。
【００２６】
その結果、要求される強度を満たす程度に、第１カムおよび第２カムの小型化を図ることができる。
【発明の効果】
【００２７】
本発明の画像形成装置によれば、第１カムおよび第２カムの小型化を図ることができる。
【図面の簡単な説明】
【００２８】
【図１】図１は、画像形成装置の概略構成図であって、４つの現像ローラのそれぞれが、接触位置に位置する状態を示す。
【図２】図２は、図１に示す画像形成装置であって、４つの現像ローラのそれぞれが、離間位置に位置する状態を示す。
【図３】図３は、図１に示す４つの現像ローラのそれぞれを接触位置から離間位置へ移動させるための４つのロッド、および、４つのカムの斜視図であって、４つのカムのそれぞれが押圧解除位置に位置し、４つのロッドのそれぞれが退避位置に位置した状態を示す。
【図４】図４は、図３に示す４つのロッド、および、４つのカムをの側面図である。
【図５】図５は、図３に示す４つのカムのそれぞれが押圧位置に位置し、４つのロッドのそれぞれが進出位置に位置した状態を示す。
【図６】図６は、図５に示す４つのロッド、および、４つのカムをの側面図である。
【図７】図７は、図３に示す４つのカムに動力を伝達するためのギア列を説明するための説明図である。
【図８】図８は、ギア列の変形例を説明するための説明図である。
【発明を実施するための形態】
【００２９】
１．画像形成装置１の概略
図１を参照して、画像形成装置１の概略について説明する。
【００３０】
画像形成装置１は、本体ケーシング２と、給紙トレイ３と、４つの感光ドラム４Ｙ、４Ｍ、４Ｃ、４Ｋと、４つの帯電器５Ｙ、５Ｍ、５Ｃ、５Ｋと、露光装置６と、４つの現像ユニット７Ｙ、７Ｍ、７Ｃ、７Ｋと、転写装置８と、定着器９とを備える。
【００３１】
１．１  本体ケーシング
本体ケーシング２は、画像形成装置１の外装を構成する。本体ケーシング２は、給紙トレイ３と、４つの感光ドラム４Ｙ、４Ｍ、４Ｃ、４Ｋと、４つの帯電器５Ｙ、５Ｍ、５Ｃ、５Ｋと、露光装置６と、４つの現像ユニット７Ｙ、７Ｍ、７Ｃ、７Ｋと、転写装置８と、定着器９とを収容する。
【００３２】
１．２  給紙トレイ
給紙トレイ３は、印刷媒体Ｓを収容する。給紙トレイ３内の印刷媒体Ｓは、感光ドラム４Ｙに向かって搬送される。印刷媒体Ｓは、例えば、印刷用紙である。感光ドラム４Ｙについては、後で説明する。
【００３３】
１．３  ４つの感光ドラム
感光ドラム４Ｙは、第１ドラム軸Ａ１について回転可能である。感光ドラム４Ｍは、第２ドラム軸Ａ２について回転可能である。感光ドラム４Ｃは、第３ドラム軸Ａ３について回転可能である。感光ドラム４Ｋは、第４ドラム軸Ａ４について回転可能である。第１ドラム軸Ａ１、第２ドラム軸Ａ２、第３ドラム軸Ａ３および第４ドラム軸Ａ４のそれぞれは、第１方向に延びる。４つの感光ドラム４Ｙ、４Ｍ、４Ｃ、４Ｋは、第２方向に並ぶ。第２方向は、搬送ベルト１１が印刷媒体Ｓを搬送する方向である。第２方向は、第１方向と交差する。好ましくは、第２方向は、第１方向と直交する。搬送ベルト１１については、後で説明する。感光ドラム４Ｍは、第２方向において、感光ドラム４Ｙの下流側に位置する。感光ドラム４Ｃは、第２方向において、感光ドラム４Ｍの下流側に位置する。感光ドラム４Ｋは、第２方向において、感光ドラム４Ｃの下流側に位置する。つまり、４つの感光ドラム４Ｙ、４Ｍ、４Ｃ、４Ｋは、第２方向において、感光ドラム４Ｙ、感光ドラム４Ｍ、感光ドラム４Ｃ、感光ドラム４Ｋの順に並ぶ。感光ドラム４Ｍは、第２方向において、感光ドラム４Ｙから離れて位置する。感光ドラム４Ｃは、第２方向において、感光ドラム４Ｍから離れて位置する。感光ドラム４Ｋは、第２方向において、感光ドラム４Ｃから離れて位置する。
【００３４】
４つの感光ドラム４Ｙ、４Ｍ、４Ｃ、４Ｋのそれぞれは、第１方向に延び、円筒形状を有する。
【００３５】
１．４  ４つの帯電器
帯電器５Ｙは、感光ドラム４Ｙの周面を帯電させる。帯電器５Ｍは、感光ドラム４Ｍの周面を帯電させる。帯電器５Ｃは、感光ドラム４Ｃの周面を帯電させる。帯電器５Ｋは、感光ドラム４Ｋの周面を帯電させる。４つの帯電器５Ｙ、５Ｍ、５Ｃ、５Ｋのそれぞれは、具体的には、スコロトロン型の帯電器である。なお、４つの帯電器５Ｙ、５Ｍ、５Ｃ、５Ｋのそれぞれは、帯電ローラであってもよい。
【００３６】
１．５  露光装置
露光装置６は、感光ドラム４Ｙを露光する。帯電器５Ｙが感光ドラム４Ｙの周面を帯電させた後、露光装置６が、帯電された感光ドラム４Ｙの周面に光を照射して露光することにより、感光ドラム４Ｙの周面に静電潜像が形成される。露光装置６は、具体的には、レーザー光で感光ドラム４Ｙの周面を走査するレーザースキャンユニットである。なお、露光装置６は、ＬＥＤアレイを備えるＬＥＤユニットであってもよい。露光装置６は、感光ドラム４Ｍ、４Ｃ、４Ｋも露光する。
【００３７】
１．６  ４つの現像ユニット
４つの現像ユニット７Ｙ、７Ｍ、７Ｃ、７Ｋのそれぞれは、トナーを収容可能である。４つの現像ユニット７Ｙ、７Ｍ、７Ｃ、７Ｋは、第２方向に並ぶ。現像ユニット７Ｙは、現像ローラ１０Ｙを備える。現像ユニット７Ｍは、現像ローラ１０Ｍを備える。現像ユニット７Ｃは、現像ローラ１０Ｃを備える。現像ユニット７Ｋは、現像ローラ１０Ｋを備える。すなわち、画像形成装置１は、４つの現像ローラ１０Ｙ、１０Ｍ、１０Ｃ、１０Ｋを備える。
【００３８】
現像ローラ１０Ｙは、第１ローラ軸Ａ１１について回転可能である。現像ローラ１０Ｍは、第２ローラ軸Ａ１２について回転可能である。現像ローラ１０Ｃは、第３ローラ軸Ａ１３について回転可能である。現像ローラ１０Ｋは、第４ローラ軸Ａ１４について回転可能である。第１ローラ軸Ａ１１、第２ローラ軸Ａ１２、第３ローラ軸Ａ１３および第４ローラ軸Ａ１４のそれぞれは、第１方向に延びる。
【００３９】
現像ローラ１０Ｙは、感光ドラム４Ｙの周面に接触する。現像ローラ１０Ｙは、現像ユニット７Ｙ内のトナーを感光ドラム４Ｙの周面に供給可能である。また、現像ローラ１０Ｍは、感光ドラム４Ｍの周面に接触する。現像ローラ１０Ｍは、現像ユニット７Ｍ内のトナーを感光ドラム４Ｍの周面に供給可能である。また、現像ローラ１０Ｃは、感光ドラム４Ｃの周面に接触する。現像ローラ１０Ｃは、現像ユニット７Ｃ内のトナーを感光ドラム４Ｃの周面に供給可能である。また、現像ローラ１０Ｋは、感光ドラム４Ｋの周面に接触する。現像ローラ１０Ｋは、現像ユニット７Ｋ内のトナーを感光ドラム４Ｋの周面に供給可能である。
【００４０】
４つの現像ローラ１０Ｙ、１０Ｍ、１０Ｃ、１０Ｋのそれぞれは、第１方向に延び、円柱形状を有する。
【００４１】
また、図１および図２に示すように、現像ローラ１０Ｙは、第１接触位置（図１参照）と第１離間位置（図２参照）との間を移動可能である。現像ローラ１０Ｙが第１接触位置に位置する場合、現像ローラ１０Ｙは、感光ドラム４Ｙと接触する。現像ローラ１０Ｙが第１離間位置に位置する場合、現像ローラ１０Ｙは、感光ドラム４Ｙから離れる。
【００４２】
また、現像ローラ１０Ｍは、第２接触位置（図１参照）と第２離間位置（図２参照）との間を移動可能である。現像ローラ１０Ｍが第２接触位置に位置する場合、現像ローラ１０Ｍは、感光ドラム４Ｍと接触する。現像ローラ１０Ｍが第２離間位置に位置する場合、現像ローラ１０Ｍは、感光ドラム４Ｍから離れる。
【００４３】
また、現像ローラ１０Ｃは、第３接触位置（図１参照）と第３離間位置（図２参照）との間を移動可能である。現像ローラ１０Ｃが第３接触位置に位置する場合、現像ローラ１０Ｃは、感光ドラム４Ｃと接触する。現像ローラ１０Ｃが第３離間位置に位置する場合、現像ローラ１０Ｃは、感光ドラム４Ｃから離れる。
【００４４】
また、現像ローラ１０Ｋは、第４接触位置（図１参照）と第４離間位置（図２参照）との間を移動可能である。現像ローラ１０Ｋが第４接触位置に位置する場合、現像ローラ１０Ｋは、感光ドラム４Ｋと接触する。現像ローラ１０Ｋが第４離間位置に位置する場合、現像ローラ１０Ｋは、感光ドラム４Ｋから離れる。
【００４５】
１．７  転写装置
図１に示すように、転写装置８は、搬送ベルト１１を備える。すなわち、画像形成装置１は、搬送ベルト１１を備える。搬送ベルト１１は、印刷媒体Ｓを搬送するように構成される。詳しくは、搬送ベルト１１は、給紙トレイ３から供給された印刷媒体Ｓを定着器９に向かって搬送する。搬送ベルト１１によって搬送される印刷媒体Ｓは、転写装置８と４つの感光ドラム４Ｙ、４Ｍ、４Ｃ、４Ｋとの間を通る。このとき、転写装置８は、４つの感光ドラム４Ｙ、４Ｍ、４Ｃ、４Ｋのそれぞれに形成されたトナー像を印刷媒体Ｓに転写する。
【００４６】
１．８  定着器
定着器９は、トナー像が転写された印刷媒体Ｓを加熱および加圧して、印刷媒体Ｓにトナー像を定着させる。定着器９を通過した印刷媒体Ｓは、本体ケーシング２の上面に排紙される。
【００４７】
２．画像形成装置の詳細
次に、図３から図７を参照して、画像形成装置１の詳細について説明する。
【００４８】
画像形成装置１は、図３および図７に示すように、第１ロッド２１Ｙ、第２ロッド２１Ｍ、第３ロッド２１Ｃ、第４ロッド２１Ｋ、第１カム２２Ｙ、第２カム２２Ｍ、第３カム２２Ｃ、第４カム２２Ｋ、モーター５０（図７参照）、および、ギア列２３（図７参照）を備える。
【００４９】
２．１  第１ロッド
第１ロッド２１Ｙは、図４および図６に示すように、第１進出位置（図６参照）と第１退避位置（図４参照）との間を、第１方向に移動可能である。第１ロッド２１Ｙが第１進出位置に位置する場合、第１ロッド２１Ｙは、現像ローラ１０Ｙを第１離間位置（図２参照）に位置させる。第１ロッド２１Ｙが第１退避位置に位置する場合、第１ロッド２１Ｙは、現像ローラ１０Ｙが第１接触位置（図１参照）に位置することを許容する。第１ロッド２１Ｙは、第１退避位置から第１進出位置へ移動することにより、現像ローラ１０Ｙを第１接触位置から第１離間位置へ移動させる。第１ロッド２１Ｙは、第１進出位置から第１退避位置へ移動することにより、現像ローラ１０Ｙが第１離間位置から第１接触位置へ移動することを許容する。
【００５０】
第１ロッド２１Ｙは、図３に示すように、第１ロッド本体３１Ｙと第１突出部３２Ｙとを備える。
【００５１】
第１ロッド本体３１Ｙは、第１方向に延びる。第１ロッド本体３１Ｙは、円柱形状を有する。第１ロッド本体３１Ｙは、第１方向における一端Ｅ１と、第１方向における他端Ｅ２とを有する。他端Ｅ２は、第１方向において、一端Ｅ１から離れて位置する。
【００５２】
第１突出部３２Ｙは、第１方向において、一端Ｅ１と他端Ｅ２との間に位置する。第１突出部３２Ｙは、第１ロッド本体３１Ｙの周面から、第１方向と交差する方向に突出する。好ましくは、第１突出部３２Ｙは、第１ロッド本体３１Ｙの周面から、第１方向と直交する方向に突出する。また、第１突出部３２Ｙは、第１ロッド本体３１Ｙの周方向に延びる。第１突出部３２Ｙは、第１カム２２Ｙが回転したときに、第１カム２２Ｙの第１リブ４２Ｙと接触可能である。第１リブ４２Ｙについては、後で説明する。
【００５３】
２．２  第２ロッド
第２ロッド２１Ｍは、図４および図６に示すように、第２進出位置（図６参照）と第２退避位置（図４参照）との間を、第１方向に移動可能である。第２ロッド２１Ｍが第２進出位置に位置する場合、第２ロッド２１Ｍは、現像ローラ１０Ｍを第２離間位置（図２参照）に位置させる。第２ロッド２１Ｍが第２退避位置に位置する場合、第２ロッド２１Ｍは、現像ローラ１０Ｍが第２接触位置（図１参照）に位置することを許容する。第２ロッド２１Ｍは、第２退避位置から第２進出位置へ移動することにより、現像ローラ１０Ｍを第２接触位置から第２離間位置へ移動させる。第２ロッド２１Ｍは、第２進出位置から第２退避位置へ移動することにより、現像ローラ１０Ｍが第２離間位置から第２接触位置へ移動することを許容する。
【００５４】
第２ロッド２１Ｍは、図３に示すように、第２ロッド本体３１Ｍと第２突出部３２Ｍとを備える。なお、第２ロッド２１Ｍの構造は、第１ロッド２１Ｙの構造と同じであり、第１ロッド２１Ｙの構造と同様に説明できる。すなわち、第２ロッド本体３１Ｍは、第１方向に延びる。第２突出部３２Ｍは、第２ロッド本体３１Ｍの周面から、第１方向と交差する方向に突出する。第２ロッド２１Ｍの構造についての説明を、省略する。
【００５５】
２．３  第３ロッド
第３ロッド２１Ｃは、図４および図６に示すように、第３進出位置（図６参照）と第３退避位置（図４参照）との間を、第１方向に移動可能である。第３ロッド２１Ｃが第３進出位置に位置する場合、第３ロッド２１Ｃは、現像ローラ１０Ｃを第３離間位置（図２参照）に位置させる。第３ロッド２１Ｃが第３退避位置に位置する場合、第３ロッド２１Ｃは、現像ローラ１０Ｃが第３接触位置（図１参照）に位置することを許容する。第３ロッド２１Ｃは、第３退避位置から第３進出位置へ移動することにより、現像ローラ１０Ｃを第３接触位置から第３離間位置へ移動させる。第３ロッド２１Ｃは、第３進出位置から第３退避位置へ移動することにより、現像ローラ１０Ｃが第３離間位置から第３接触位置へ移動することを許容する。
【００５６】
第３ロッド２１Ｃは、図３に示すように、第３ロッド本体３１Ｃと第３突出部３２Ｃとを備える。なお、第３ロッド２１Ｃの構造は、第１ロッド２１Ｙの構造と同じであり、第１ロッド２１Ｙの構造と同様に説明できる。すなわち、第３ロッド本体３１Ｃは、第１方向に延びる。第３突出部３２Ｃは、第３ロッド本体３１Ｃの周面から、第１方向と交差する方向に突出する。第３ロッド２１Ｃの構造についての説明を、省略する。
【００５７】
２．４  第４ロッド
第４ロッド２１Ｋは、図４および図６に示すように、第４進出位置（図６参照）と第４退避位置（図４参照）との間を、第１方向に移動可能である。第４ロッド２１Ｋが第４進出位置に位置する場合、第４ロッド２１Ｋは、現像ローラ１０Ｋを第４離間位置（図２参照）に位置させる。第４ロッド２１Ｋが第４退避位置に位置する場合、第４ロッド２１Ｋは、現像ローラ１０Ｋが第４接触位置（図１参照）に位置することを許容する。第４ロッド２１Ｋは、第４退避位置から第４進出位置へ移動することにより、現像ローラ１０Ｋを第４接触位置から第４離間位置へ移動させる。第４ロッド２１Ｋは、第４進出位置から第４退避位置へ移動することにより、現像ローラ１０Ｋが第４離間位置から第４接触位置へ移動することを許容する。
【００５８】
第４ロッド２１Ｋは、図３に示すように、第４ロッド本体３１Ｋと第４突出部３２Ｋとを備える。なお、第４ロッド２１Ｋの構造は、第１ロッド２１Ｙの構造と同じであり、第１ロッド２１Ｙの構造と同様に説明できる。すなわち、第４ロッド本体３１Ｋは、第１方向に延びる。第４突出部３２Ｋは、第４ロッド本体３１Ｋの周面から、第１方向と交差する方向に突出する。第４ロッド２１Ｋの構造についての説明を、省略する。
【００５９】
２．５  第１カム
第１カム２２Ｙは、第１軸Ａ２１について回転可能である。第１軸Ａ２１は、第１方向に延びる。第１カム２２Ｙは、回転することにより、第１押圧状態（図５参照）か、または、第１押圧解除状態（図３参照）に切り替わる。第１カム２２Ｙが第１押圧状態である場合、第１カム２２Ｙは、第１ロッド２１Ｙを第１進出位置に位置させる。第１カム２２Ｙが第１押圧解除状態である場合、第１カム２２Ｙは、第１ロッド２１Ｙが第１退避位置に位置することを許容する。
【００６０】
第１カム２２Ｙは、第１円板４１Ｙと、第１リブ４２Ｙとを有する。
【００６１】
第１円板４１Ｙは、第１軸Ａ２１と交差する方向に延びる。第１円板４１Ｙは、第１軸Ａ２１について回転可能である。第１円板４１Ｙは、第１ギア５１Ｙとともに回転可能である。第１ギア５１Ｙについては、後で説明する。第１円板４１Ｙは、第１平面Ｓ１を有する。
【００６２】
第１平面Ｓ１は、図３に示すように、第１カム２２Ｙが第１押圧解除状態である場合、第１方向において、第１退避位置に位置する第１ロッド２１Ｙの第１突出部３２Ｙと向かい合う。なお、第１平面Ｓ１は、第１カム２２Ｙが第１押圧解除位置に位置するときに、第１退避位置に位置する第１ロッド２１Ｙの第１突出部３２Ｙと接触してもよい。第１平面Ｓ１は、第１軸Ａ２１と交差する方向に延びる。好ましくは、第１平面Ｓ１は、第１軸Ａ２１と直交する方向に延びる。
【００６３】
第１リブ４２Ｙは、第１方向において、第１円板４１Ｙに対して第１ギア５１Ｙの反対側に位置する。第１リブ４２Ｙは、第１円板４１Ｙから第１方向に突出する。第１リブ４２Ｙは、第１円板４１Ｙの周方向に延びる。第１リブ４２Ｙは、第２平面Ｓ２と、第１傾斜面Ｓ３と、第２傾斜面Ｓ４とを有する。
【００６４】
第２平面Ｓ２は、図５に示すように、第１カム２２Ｙが第１押圧状態である場合に、第１進出位置に位置する第１ロッド２１Ｙの第１突出部３２Ｙと、第１方向において接触する。つまり、第１リブ４２Ｙは、第１カム２２Ｙが第１押圧状態である場合、第１ロッド２１Ｙの第１突出部３２Ｙと接触する。これにより、第１カム２２Ｙが第１押圧状態である場合、第１カム２２Ｙは、第１リブ４２Ｙで第１突出部３２Ｙを押圧して、第１ロッド２１Ｙを第１進出位置に位置させる。また、第１リブ４２Ｙは、第１カム２２Ｙが第１押圧解除状態である場合、第１ロッド２１Ｙの第１突出部３２Ｙから離れる。これにより、第１カム２２Ｙが第１押圧解除状態である場合、第１カム２２Ｙは、第１リブ４２Ｙで第１突出部３２Ｙを押圧せず、第１ロッド２１Ｙが第１退避位置に位置することを許容する。第２平面Ｓ２は、第１方向において、第１平面Ｓ１と異なる位置に位置する。第２平面Ｓ２は、第１方向において、第１平面Ｓ１と間隔を隔てて位置する。第２平面Ｓ２は、第１軸Ａ２１と交差する方向に延びる。好ましくは、第２平面Ｓ２は、第１軸Ａ２１と直交する方向に延びる。第２平面Ｓ２は、第１平面Ｓ１と平行である。
【００６５】
図３に示す第１傾斜面Ｓ３は、第１カム２２Ｙが第１押圧解除状態（図３参照）から第１押圧状態（図５参照）に切り替わるときに、第１ロッド２１Ｙの第１突出部３２Ｙと接触する。第１傾斜面Ｓ３は、第１平面Ｓ１と第２平面Ｓ２との間に位置する。第１傾斜面Ｓ３は、第１平面Ｓ１および第２平面Ｓ２に対して傾斜する。第１傾斜面Ｓ３は、第１平面Ｓ１と第２平面Ｓ２とを接続する。第１カム２２Ｙが第１押圧解除状態から第１押圧状態に切り替わるとき、第１ロッド２１Ｙは、第１カム２２Ｙが回転するにつれて、第１突出部３２Ｙが第１傾斜面Ｓ３の上を滑ることにより、第１退避位置から第１進出位置へ移動する。
【００６６】
図５に示す第２傾斜面Ｓ４は、第１カム２２Ｙが第１押圧状態（図５参照）から第１押圧解除状態（図３参照）に切り替わるときに、第１ロッド２１Ｙの第１突出部３２Ｙと接触する。第２傾斜面Ｓ４は、第１平面Ｓ１と第２平面Ｓ２との間に位置する。第２傾斜面Ｓ４は、第１円板４１Ｙの径方向において、第１軸Ａ２１に対して、第１傾斜面Ｓ３の反対側に位置する。第２傾斜面Ｓ４は、第１平面Ｓ１および第２平面Ｓ２に対して傾斜する。第２傾斜面Ｓ４は、第１平面Ｓ１と第２平面Ｓ２とを接続する。第１カム２２Ｙが第１押圧状態から第１押圧解除状態に切り替わるとき、第１ロッド２１Ｙは、第１カム２２Ｙが回転するにつれて、第１突出部３２Ｙが第２傾斜面Ｓ４の上を滑ることにより、第１進出位置から第１退避位置へ移動する。
【００６７】
２．６  第２カム
第２カム２２Ｍは、図３に示すように、第２軸Ａ２２について回転可能である。第２軸Ａ２２は、第１方向に延びる。第２カム２２Ｍは、回転することにより、第２押圧状態（図５参照）か、または、第２押圧解除状態（図３参照）に切り替わる。第２カム２２Ｍが第２押圧状態である場合、第２カム２２Ｍは、第２ロッド２１Ｍを第２進出位置に位置させる。第２カム２２Ｍが第２押圧解除状態である場合、第２カム２２Ｍは、第２ロッド２１Ｍが第２退避位置に位置することを許容する。
【００６８】
第２カム２２Ｍは、第２円板４１Ｍと、第２リブ４２Ｍとを有する。
【００６９】
第２円板４１Ｍは、第２軸Ａ２２と交差する方向に延びる。第２円板４１Ｍは、第２軸Ａ２２について回転可能である。第２円板４１Ｍは、第２ギア５１Ｍとともに回転可能である。第２ギア５１Ｍについては、後で説明する。なお、第２円板４１Ｍの構造は、第１円板４１Ｙの構造と同じであり、第１円板４１Ｙの構造と同様に説明できる。第２円板４１Ｍの構造についての説明を、省略する。
【００７０】
第２リブ４２Ｍは、第１方向において第２円板４１Ｍに対して第２ギア５１Ｍの反対側に位置する。第２リブ４２Ｍは、第２円板４１Ｍから第１方向に突出する。第２リブ４２Ｍは、第２円板４１Ｍの周方向に延びる。第２リブ４２Ｍは、第２カム２２Ｍが第２押圧状態である場合、第２ロッド２１Ｍの第２突出部３２Ｍと接触する。これにより、第２カム２２Ｍが第２押圧状態である場合、第２カム２２Ｍは、第２リブ４２Ｍで第２突出部３２Ｍを押圧して、第２ロッド２１Ｍを第２進出位置に位置させる。また、第２リブ４２Ｍは、第２カム２２Ｍが第２押圧解除状態である場合、第２ロッド２１Ｍの第２突出部３２Ｍから離れる。これにより、第２カム２２Ｍが第２押圧解除状態である場合、第２カム２２Ｍは、第２リブ４２Ｍで第２突出部３２Ｍを押圧せず、第２ロッド２１Ｍが第２退避位置に位置することを許容する。なお、第２リブ４２Ｍの構造は、第１リブ４２Ｙの構造と同じであり、第１リブ４２Ｙの構造と同様に説明できる。第２リブ４２Ｍの構造についての説明を、省略する。
【００７１】
２．７  第３カム
第３カム２２Ｃは、図３に示すように、第３軸Ａ２３について回転可能である。第３軸Ａ２３は、第１方向に延びる。第３カム２２Ｃは、回転することにより、第３押圧状態（図５参照）か、または、第３押圧解除状態（図３参照）に切り替わる。第３カム２２Ｃが第３押圧状態である場合、第３カム２２Ｃは、第３ロッド２１Ｃを第３進出位置に位置させる。第３カム２２Ｃが第３押圧解除状態である場合、第３カム２２Ｃは、第３ロッド２１Ｃが第３退避位置に位置することを許容する。
【００７２】
第３カム２２Ｃは、第３円板４１Ｃと、第３リブ４２Ｃとを有する。
【００７３】
第３円板４１Ｃは、第３軸Ａ２３と交差する方向に延びる。第３円板４１Ｃは、第３軸Ａ２３について回転可能である。第３円板４１Ｃは、第３ギア５１Ｃとともに回転可能である。第３ギア５１Ｃについては、後で説明する。なお、第３円板４１Ｃの構造は、第１円板４１Ｙの構造と同じであり、第１円板４１Ｙの構造と同様に説明できる。そのため、第３円板４１Ｃの構造についての説明を、省略する。
【００７４】
第３リブ４２Ｃは、第１方向において第３円板４１Ｃに対して第３ギア５１Ｃの反対側に位置する。第３リブ４２Ｃは、第３円板４１Ｃから第１方向に突出する。第３リブ４２Ｃは、第３円板４１Ｃの周方向に延びる。第３リブ４２Ｃは、第３カム２２Ｃが第３押圧状態である場合、第３ロッド２１Ｃの第３突出部３２Ｃと接触する。これにより、第３カム２２Ｃが第３押圧状態である場合、第３カム２２Ｃは、第３リブ４２Ｃで第３突出部３２Ｃを押圧して、第３ロッド２１Ｃを第３進出位置に位置させる。また、第３リブ４２Ｃは、第３カム２２Ｃが第３押圧解除状態である場合、第３ロッド２１Ｃの第３突出部３２Ｃから離れる。これにより、第３カム２２Ｃが第３押圧解除状態である場合、第３カム２２Ｃは、第３リブ４２Ｃで第３突出部３２Ｃを押圧せず、第３ロッド２１Ｃが第３退避位置に位置することを許容する。なお、第３リブ４２Ｃの構造は、第１リブ４２Ｙの構造と同じであり、第１リブ４２Ｙの構造と同様に説明できる。第３リブ４２Ｃの構造についての説明を、省略する。
【００７５】
２．８  第４カム
第４カム２２Ｋは、図３に示すように、第４軸Ａ２４について回転可能である。第４軸Ａ２４は、第１方向に延びる。第４カム２２Ｋは、回転することにより、第４押圧状態（図５参照）か、または、第４押圧解除状態（図３参照）に切り替わる。第４カム２２Ｋが第４押圧状態である場合、第４カム２２Ｋは、第４ロッド２１Ｋを第４進出位置に位置させる。第４カム２２Ｋが第４押圧解除状態である場合、第４カム２２Ｋは、第４ロッド２１Ｋが第４退避位置に位置することを許容する。
【００７６】
第４カム２２Ｋは、第４円板４１Ｋと、第４リブ４２Ｋとを有する。
【００７７】
第４円板４１Ｋは、第４軸Ａ２４と交差する方向に延びる。第４円板４１Ｋは、第４軸Ａ２４について回転可能である。第４円板４１Ｋは、第４ギア５１Ｋとともに回転可能である。第４ギア５１Ｋについては、後で説明する。なお、第４円板４１Ｋの構造は、第１円板４１Ｙの構造と同じであり、第１円板４１Ｙの構造と同様に説明できる。そのため、第４円板４１Ｋの構造についての説明を、省略する。
【００７８】
第４リブ４２Ｋは、第１方向において第４円板４１Ｋに対して第４ギア５１Ｋの反対側に位置する。第４リブ４２Ｋは、第４円板４１Ｋから第１方向に突出する。第４リブ４２Ｋは、第４円板４１Ｋの周方向に延びる。第４リブ４２Ｋは、第４カム２２Ｋが第４押圧状態である場合、第４ロッド２１Ｋの第４突出部３２Ｋと接触する。これにより、第４カム２２Ｋが第４押圧状態である場合、第４カム２２Ｋは、第４リブ４２Ｋで第４突出部３２Ｋを押圧して、第４ロッド２１Ｋを第４進出位置に位置させる。また、第４リブ４２Ｋは、第４カム２２Ｋが第４押圧解除状態である場合、第４ロッド２１Ｋの第４突出部３２Ｋから離れる。これにより、第４カム２２Ｋが第４押圧解除状態である場合、第４カム２２Ｋは、第４リブ４２Ｋで第４突出部３２Ｋを押圧せず、第４ロッド２１Ｋが第４退避位置に位置することを許容する。なお、第４リブ４２Ｋの構造は、第１リブ４２Ｙの構造と同じであり、第１リブ４２Ｙの構造と同様に説明できる。第４リブ４２Ｋの構造についての説明を、省略する。
【００７９】
２．９  カムの回転角度について
図３に示すように、第１カム２２Ｙの回転角度と、第２カム２２Ｍの回転角度とは、感光ドラム４Ｙ（図１参照）から印刷媒体Ｓが離れた後、第２カム２２Ｍが第２押圧状態になる前に、第１カム２２Ｙが第１押圧状態になるように、ずれている。また、第２カム２２Ｍの回転角度と、第３カム２２Ｃの回転角度とは、感光ドラム４Ｍ（図１参照）から印刷媒体Ｓが離れた後、第３カム２２Ｃが第３押圧状態になる前に、第２カム２２Ｍが第２押圧状態になるように、ずれている。また、第３カム２２Ｃの回転角度と、第４カム２２Ｋの回転角度とは、感光ドラム４Ｃ（図１参照）から印刷媒体Ｓが離れた後、第４カム２２Ｋが第４押圧状態になる前に、第３カム２２Ｃが第３押圧状態になるように、ずれている。
【００８０】
詳しくは、図３に示す時点において、方向Ｒ２における第２リブ４２Ｍと第２突出部３２Ｍとの距離Ｄ２は、方向Ｒ１における第１リブ４２Ｙと第１突出部３２Ｙとの距離Ｄ１よりも長い。また、方向Ｒ３における第３リブ４２Ｃと第３突出部３２Ｃとの距離Ｄ３は、距離Ｄ２よりも長い。また、方向Ｒ４における第４リブ４２Ｋと第４突出部３２Ｋとの距離Ｄ４は、距離Ｄ３よりも長い。
【００８１】
なお、図３に示す時点とは、第１カム２２Ｙが第１押圧解除状態であり、第２カム２２Ｍが第２押圧解除状態であり、第３カム２２Ｃが第３押圧解除状態であり、第４カム２２Ｋが第４押圧解除状態である時点である。方向Ｒ１は、第１カム２２Ｙが回転したときに第１リブ４２Ｙが第１突出部３２Ｙに近づく方向である。方向Ｒ２は、第２カム２２Ｍが回転したときに第２リブ４２Ｍが第２突出部３２Ｍに近づく方向である。方向Ｒ３は、第３カム２２Ｃが回転したときに第３リブ４２Ｃが第３突出部３２Ｃに近づく方向である。方向Ｒ４は、第４カム２２Ｋが回転したときに第４リブ４２Ｋが第４突出部３２Ｋに近づく方向である。
【００８２】
第１カム２２Ｙ、第２カム２２Ｍ、第３カム２２Ｃおよび第４カム２２Ｋが同じタイミングで回転を開始すると、第１カム２２Ｙが第１押圧状態になり、次に、第２カム２２Ｍが第２押圧状態になり、次に、第３カム２２Ｃが第３押圧状態になり、次に、第４カム２２Ｋが第４押圧状態になる。すなわち、第２カム２２Ｍが第２押圧状態になる前に、第１カム２２Ｙが第１押圧状態になり、第３カム２２Ｃが第３押圧状態になる前に、第２カム２２Ｍが第２押圧状態になる。
【００８３】
２．１０  モーター
図７に示すモーター５０は、本体ケーシング２内に設けられる。モーター５０は、出力シャフト５０Ａと、出力ギア５０Ｂとを有する。出力シャフト５０Ａは、第１方向に延びる。出力シャフト５０Ａは、第１方向に延びる軸について回転可能である。出力ギア５０Ｂは、出力シャフト５０Ａに取り付けられる。出力ギア５０Ｂは、出力シャフト５０Ａとともに回転可能である。
【００８４】
２．１１  ギア列
図７に示すように、ギア列２３は、第１ギア５１Ｙと、第２ギア５１Ｍと、第３ギア５１Ｃと、第４ギア５１Ｋと、アイドルギア５２と、第２アイドルギア５３と、第１ギア列５４と、第２ギア列５５とを備える。
【００８５】
第１ギア５１Ｙは、第１カム２２Ｙ（図３参照）とともに第１軸Ａ２１について回転可能である。第２ギア５１Ｍは、第２カム２２Ｍ（図３参照）とともに第２軸Ａ２２について回転可能である。第３ギア５１Ｃは、第３カム２２Ｃ（図３参照）とともに第３軸Ａ２３について回転可能である。第４ギア５１Ｋは、第４カム２２Ｋ（図３参照）とともに第４軸Ａ２４について回転可能である。第１ギア５１Ｙ、第２ギア５１Ｍ、第３ギア５１Ｃおよび第４ギア５１Ｋは、互いに離れている。アイドルギア５２は、第１ギア５１Ｙおよび第２ギア５１Ｍと噛み合う。第２アイドルギア５３は、第２ギア５１Ｍおよび第３ギア５１Ｃと噛み合う。
【００８６】
第１ギア列５４は、モーター５０と第４ギア５１Ｋとを繋ぐ。詳しくは、第１ギア列５４は、アイドルギア６１と、第１電磁クラッチ６２と、アイドルギア６３とを含む。アイドルギア６１は、出力ギア５０Ｂと噛み合う。これにより、第１ギア列５４は、モーター５０と繋がる。アイドルギア６３は、第４ギア５１Ｋと噛み合う。これにより、第１ギア列５４は、第４ギア５１Ｋと繋がる。第１電磁クラッチ６２は、アイドルギア６１とアイドルギア６３との間に介在する。第１電磁クラッチ６２は、オン状態か、または、オフ状態に切り替え可能である。第１電磁クラッチ６２がオン状態である場合、第１電磁クラッチ６２は、アイドルギア６１からアイドルギア６３へ動力を伝達可能である。これにより、第１電磁クラッチ６２がオン状態である場合、第１電磁クラッチ６２は、モーター５０から第４ギア５１Ｋへの動力を伝達する。また、第１電磁クラッチ６２がオフ状態である場合、第１電磁クラッチ６２は、アイドルギア６１からアイドルギア６３への動力の伝達を解除する。これにより、第１電磁クラッチ６２がオフ状態である場合、第１電磁クラッチ６２は、モーター５０から第４ギア５１Ｋへの動力の伝達を解除する。
【００８７】
第２ギア列５５は、モーター５０と第１ギア５１Ｙとを繋ぐ。詳しくは、第２ギア列５５は、アイドルギア７１と、第２電磁クラッチ７２とを含む。アイドルギア７１は、出力ギア５０Ｂと噛み合う。これにより、第２ギア列５５は、モーター５０と繋がる。第２電磁クラッチ７２は、アイドルギア７１と第１ギア５１Ｙとの間に介在する。これにより、第２ギア列５５は、第１ギア５１Ｙと繋がる。第２電磁クラッチ７２は、オン状態か、または、オフ状態に切り替え可能である。第２電磁クラッチ７２がオン状態である場合、第２電磁クラッチ７２は、アイドルギア７１から第１ギア５１Ｙへ動力を伝達可能である。これにより、第２電磁クラッチ７２がオン状態である場合、第２電磁クラッチ７２は、モーター５０から第１ギア５１Ｙへの動力を伝達する。また、第２電磁クラッチ７２がオフ状態である場合、第２電磁クラッチ７２は、アイドルギア７１から第１ギア５１Ｙへの動力の伝達を解除する。これにより、第２電磁クラッチ７２がオフ状態である場合、第２電磁クラッチ７２は、モーター５０から第１ギア５１Ｙへの動力の伝達を解除する。
【００８８】
また、第２ギア列５５の全てのギアは、第１ギア列５４のどのギアにも噛み合わない。すなわち、第２ギア列５５は、第１ギア列５４とは独立している。
【００８９】
第１ギア列５４と第２ギア列５５とが互いに独立しており、第１ギア列５４および第２ギア列５５のそれぞれが電磁クラッチを含んでいることにより、第４カム２２Ｋを、第１カム２２Ｙ、第２カム２２Ｍおよび第３カム２２Ｃとは別に回転させることができる。
【００９０】
これにより、現像ローラ１０Ｋを使用し、現像ローラ１０Ｙ、１０Ｍ、１０Ｃを使用しない単色の画像形成と、全ての現像ローラ１０Ｙ、１０Ｍ、１０Ｃ、１０Ｋを使用する多色の画像形成とを切り換えることができる。
【００９１】
３．画像形成装置の動作
次に、図１から図３を参照して、画像形成装置１の動作について説明する。
【００９２】
図１に示すように、画像形成装置１が印刷媒体Ｓに印刷する場合、搬送ベルト１１は、給紙トレイ３から供給された印刷媒体Ｓを、転写装置８と４つの感光ドラム４Ｙ、４Ｍ、４Ｃ、４Ｋとの間を通して、定着器９に向かって搬送する。
【００９３】
このとき、４つの感光ドラム４Ｙ、４Ｍ、４Ｃ、４Ｋは、第２方向において、感光ドラム４Ｙ、感光ドラム４Ｍ、感光ドラム４Ｃ、感光ドラム４Ｋの順に並んでいるので、搬送ベルト１１によって搬送される印刷媒体Ｓは、感光ドラム４Ｙと接触した後、感光ドラム４Ｍと接触し、感光ドラム４Ｍと接触した後、感光ドラム４Ｃと接触し、感光ドラム４Ｃと接触した後、感光ドラム４Ｋと接触する。また、印刷媒体Ｓは、感光ドラム４Ｙから離れた後、感光ドラム４Ｍから離れ、感光ドラム４Ｍから離れた後、感光ドラム４Ｃから離れ、感光ドラム４Ｃから離れた後、感光ドラム４Ｋから離れる。
【００９４】
そして、画像形成装置１では、感光ドラム４Ｙから印刷媒体Ｓが離れた後に、第１カムが第１押圧状態になるタイミングで、第１電磁クラッチ６２および第２電磁クラッチ７２を、オフ状態からオン状態に切り換える。
【００９５】
すると、第１カム２２Ｙ、第２カム２２Ｍ、第３カム２２Ｃおよび第４カム２２Ｋが、互いに回転角度がずれた状態（図３参照）から同じタイミングで回転を開始し、感光ドラム４Ｙから印刷媒体Ｓが離れた後に、第１カム２２Ｙが第１押圧状態になり、次に、感光ドラム４Ｍから印刷媒体Ｓが離れた後に、第２カム２２Ｍが第２押圧状態になり、次に、感光ドラム４Ｃから印刷媒体Ｓが離れた後に、第３カム２２Ｃが第３押圧状態になり、次に、感光ドラム４Ｋから印刷媒体Ｓが離れた後に、第４カム２２Ｋが第４押圧状態になる。
【００９６】
すると、感光ドラム４Ｙから印刷媒体Ｓが離れた後に、現像ローラ１０Ｙが離間位置に位置し、次に、感光ドラム４Ｍから印刷媒体Ｓが離れた後に、現像ローラ１０Ｍが離間位置に位置し、次に、感光ドラム４Ｃから印刷媒体Ｓが離れた後に、現像ローラ１０Ｃが離間位置に位置し、次に、感光ドラム４Ｋから印刷媒体Ｓが離れた後に、現像ローラ１０Ｋが離間位置に位置する。
【００９７】
これにより、印刷媒体Ｓに対するトナー像の転写が完了した感光ドラムから現像ローラを離すことができ、感光ドラムおよび現像ローラの劣化を抑制できる。
【００９８】
４．作用効果
画像形成装置１によれば、図５に示すように、第１カム２２Ｙは、第１方向に延びる第１軸Ａ２１について回転可能である。そして、第１カム２２Ｙは、回転することにより、第１方向に突出する第１リブ４２Ｙによって第１ロッド２１Ｙを押圧して、第１ロッド２１Ｙを第１方向に移動させる。
【００９９】
また、第２カム２２Ｍは、第１方向に延びる第２軸Ａ２２について回転可能である。そして、第２カム２２Ｍは、回転することにより、第１方向に突出する第２リブ４２Ｍによって第２ロッド２１Ｍを押圧して、第２ロッド２１Ｍを第１方向に移動させる。
【０１００】
つまり、第１カム２２Ｙは、第１軸Ａ２１が延びる第１方向において、第１ロッド２１Ｙからの反力に耐えればよく、第２カム２２Ｍは、第２軸Ａ２２が延びる第１方向において、第２ロッド２１Ｍからの反力に耐えればよい。
【０１０１】
そのため、第１カム２２Ｙが第１軸Ａ２１と交差する方向からの反力に耐え、第２カム２２Ｍが第２軸Ａ２２と交差する方向からの反力に耐える場合と比べて、第１カム２２Ｙおよび第２カム２２Ｍに要求される強度を低減することができる。
【０１０２】
その結果、要求される強度を満たす程度に、第１カム２２Ｙおよび第２カム２２Ｍの小型化を図ることができる。
【０１０３】
５．変形例
ギア列２３は、モーター５０と第１ギア５１Ｙとを繋ぐ第２ギア列５５（図７参照）を有さず、図８に示すように、第３ギア５１Ｃと第４ギア５１Ｋとを繋ぐクラッチ８１を有してもよい。すなわち、画像形成装置１は、第３ギア５１Ｃと第４ギア５１Ｋとを繋ぐクラッチ８１と、モーター５０と第４ギア５１Ｋとを繋ぐギア列９０とを有する。
【０１０４】
クラッチ８１は、ワンウェイクラッチであってもよく、電磁クラッチであってもよい。
【０１０５】
クラッチ８１が、ワンウェイクラッチである場合、モーター５０は、正転と逆転とを切り替え可能である。ワンウェイクラッチは、モーター５０が正転している場合、第４ギア５１Ｋから第３ギア５１Ｃに動力を伝達する。ワンウェイクラッチは、モーター５０が逆転している場合、第４ギア５１Ｋから第３ギア５１Ｃへの動力の伝達を解除する。
【０１０６】
クラッチ８１が電磁クラッチである場合、モーター５０は、正転と逆転とを切り替え可能でなくてもよい。電磁クラッチは、オン状態とオフ状態との間で切り替え可能である。電磁クラッチがオン状態である場合、電磁クラッチは、第４ギア５１Ｋから第３ギア５１Ｃに動力を伝達する。電磁クラッチがオフ状態である場合、電磁クラッチは、第４ギア５１Ｋから第３ギア５１Ｃへの動力の伝達を解除する。
【０１０７】
また、ギア列９０は、第２電磁クラッチ９１を備えてもよい。第２電磁クラッチ９１は、オン状態とオフ状態との間で切り替え可能である。第２電磁クラッチ９１がオン状態である場合、第２電磁クラッチ９１は、モーター５０から第４ギア５１Ｋへの動力を伝達する。第２電磁クラッチ９１がオフ状態である場合、第２電磁クラッチ９１は、モーター５０から第４ギア５１Ｋへの動力の伝達を解除する。
【０１０８】
また、上記した実施形態における複数の現像ユニット７Ｙ、７Ｍ、７Ｃ、７Ｋのそれぞれは、画像形成装置１に装着可能な現像カートリッジであってもよい。
【０１０９】
また、図示しないが、画像形成装置１は、４つの感光ドラム４Ｙ、４Ｍ、４Ｃ、４Ｋを有する１つのドラムユニットと、ドラムユニットに装着可能な４つの現像カートリッジとを備えてもよい。
【０１１０】
また、図示しないが、画像形成装置１は、感光ドラム４Ｙを有する第１ドラムカートリッジと、第１ドラムカートリッジに装着可能な第１現像カートリッジと、感光ドラム４Ｍを有する第２ドラムカートリッジと、第２ドラムカートリッジに装着可能な第２現像カートリッジと、感光ドラム４Ｃを有する第３ドラムカートリッジと、第３ドラムカートリッジに装着可能な第３現像カートリッジと、感光ドラム４Ｋを有する第４ドラムカートリッジと、第４ドラムカートリッジに装着可能な第４現像カートリッジとを備えてもよい。
【０１１１】
また、図示しないが、画像形成装置１は、感光ドラム４Ｙと現像ユニット７Ｙとを有する第１プロセスカートリッジと、感光ドラム４Ｍと現像ユニット７Ｍとを有する第２プロセスカートリッジと、感光ドラム４Ｃと現像ユニット７Ｃとを有する第３プロセスカートリッジと、感光ドラム４Ｋと現像ユニット７Ｋとを有する第４プロセスカートリッジとを備えてもよい。
【符号の説明】
【０１１２】
１        画像形成装置
４Ｙ      感光ドラム
４Ｍ      感光ドラム
４Ｃ      感光ドラム
４Ｋ      感光ドラム
１０Ｙ    現像ローラ
１０Ｍ    現像ローラ
１０Ｃ    現像ローラ
１０Ｋ    現像ローラ
１１      搬送ベルト
２１Ｙ    第１ロッド
２１Ｍ    第２ロッド
２１Ｃ    第３ロッド
２１Ｋ    第４ロッド
２２Ｙ    第１カム
２２Ｍ    第２カム
２２Ｃ    第３カム
２２Ｋ    第４カム
３１Ｙ    第１ロッド本体
３１Ｍ    第２ロッド本体
３２Ｙ    第１突出部
３２Ｍ    第２突出部
４１Ｙ    第１円板
４１Ｍ    第２円板
４２Ｙ    第１リブ
４２Ｍ    第２リブ
５０      モーター
５１Ｙ    第１ギア
５１Ｍ    第２ギア
５１Ｃ    第３ギア
５１Ｋ    第４ギア
５２      アイドルギア
５３      第２アイドルギア
５４      第１ギア列
５５      第２ギア列
６２      第１電磁クラッチ
７２      第２電磁クラッチ
９０      ギア列
９１      第２電磁クラッチ
Ａ１      第１ドラム軸
Ａ２      第２ドラム軸
Ａ３      第３ドラム軸
Ａ４      第４ドラム軸
Ａ１１    第１ローラ軸
Ａ１２    第２ローラ軸
Ａ１３    第３ローラ軸
Ａ１４    第４ローラ軸
Ａ２１    第１軸
Ａ２２    第２軸
Ａ２３    第３軸
Ａ２４    第４軸
Ｓ        印刷媒体
【図１】
2019179119.tif 000003
【図２】
2019179119.tif 000004
【図３】
2019179119.tif 000005
【図４】
2019179119.tif 000006
【図５】
2019179119.tif 000007
【図６】
2019179119.tif 000008
【図７】
2019179119.tif 000009
【図８】
2019179119.tif 000010